(57)【要約】【課題】  列車の安全運行を確保するため軌道基盤の安定強化が必要となり、従って、バラスト突き固め器によるバラストの突き固めを従前よりも効率よく行えることが望まれている。【解決手段】  厚みが薄く形成された逆Ｕ字状の弾性部２１ａから垂下方向に延長された菱型形状部２１ｂを形成し、かつ、長手方向の中央にスリット２１ｃを形成し、また、前記弾性部と前記菱型形状部の外周に幅広の鋸歯状段２２を形成すると共に前記弾性部の上方に延長して延長鋸歯状段２２ａを連接したバラスト突き固め器である。【選択図】        図８
2014040741.tif 000002
【特許請求の範囲】
【請求項１】
厚みが薄く形成された逆Ｕ字状の弾性部から垂下方向に延長された菱型形状部を形成し、かつ、長手方向の中央にスリットを形成し、また、前記弾性部と前記菱型形状部の外周に幅広の鋸歯状段を形成すると共に前記弾性部の上方に延長して延長鋸歯状段を連接したことを特徴とするバラスト突き固め器。
【請求項２】
前記菱型形状部において、最大幅部分（頂角部）より下端側の長さを上端側の長さより大きく形成した鋸歯状段と前記頂角部より上方に設けた鋸歯状段の全周がバラストに接し、バラストを上方に向かって押し上げることを特徴とする請求項１記載のバラスト突き固め器。
【請求項３】
レールをまくらぎに固定する底部水平部の相対向する２個所に取付けたことを特徴とする請求項１記載のバラスト突き固め器。
【発明の詳細な説明】
【技術分野】
【０００１】
本発明は、軌道上のバラストを列車の走行衝撃振動（輪重押し付け力）により、レールを介して突き固めるためのバラスト突き固め器に関する。
【背景技術】
【０００２】
従来におけるバラスト突き固め器としては、本出願人が出願した実用新案登録第３０２４４０７号に開示された製品が存在する。この出願のバラスト突き固め器１（図９参照）は、頂角を鈍角に形成した錘状または楔状の先端部１１と、先端方向に傾斜した鋸歯状段１３を多段に形成した側面を有する中くびれ状の棒部１２と、軸に略緒角な支え面を形成した基部１４を備えて、一体に形成したものである。
【０００３】
そして、その使用方法としては、まくらぎに取付けるレールの水平部に前記バラスト突き固め器をネジ止め固定することで、レール上を列車が走行し車輪の通過の度にレールが上下動してまくらぎが揺れると、該まくらぎの下でバラストが下方向、左右方向に押し退けられても、バラスト突き固め器が押し込み、引き抜き方向に動くので鋸歯状段がバラスト層で下向き、横方向に移動するためバラストが締め固められるので、定期的にバラストを突き固める作業を必要としなかった。
【０００４】
また、前記したバラスト突き固め器のくびれ状の棒部に変えて図１０に示すくびれ部をなくし、かつ、先端が鋭角１１に形成されたバラスト突き固め器を開発し実施していた。なお、図９と同じ部分は同一符号で示し説明は省略する。
【先行技術文献】
【特許文献】
【０００５】
【特許文献１】実用新案登録第３０２４４０７号
【発明の概要】
【発明が解決しようとする課題】
【０００６】
ところで、近年において地殻変動による地震が頻発し、また、気候変動による台風、豪雪、豪雨等の自然災害が多発しており、これらの自然災害によってバラストが大きく崩れる可能性がある。そこで、列車の安全運行を確保するため軌道基盤の安定強化が一層必要となり、従って、バラスト突き固め器によるバラストの突き固めを従前よりもより強固に広い範囲にわたって効率よく行えることが望まれている。
【０００７】
本発明は前記した問題点を解決せんとするもので、その目的とするところは、まくらぎを取付けるレールの底部水平部に取付けるバラスト突き固め器であって、レール上を走行する車両の車輪が通過することで下降するとスリット部が閉じられ、車両の車両が通過するとスリットが復元力によって拡開され、該拡開時の動作によってバラストが押し上げられ広範囲にわたって突き固められるバラスト突き固め器を提供せんとするにある。
【課題を解決するための手段】
【０００８】
本発明のバラスト突き固め器は前記した目的を達成せんとするもので、請求項１の手段は、厚みが薄く形成された逆Ｕ字状の弾性部から垂下方向に延長された菱型形状部を形成し、かつ、長手方向の中央にスリットを形成し、また、前記弾性部と前記菱型形状部の外周に幅広の鋸歯状段を形成すると共に前記弾性部の上方に延長して延長鋸歯状段を連接したことを特徴とする。
【０００９】
請求項２の手段は、前記した請求項１において、前記菱型形状部において、最大幅部分（頂角部）より下方に設けた下端側の長さを上端側の長さより大きく形成した鋸歯状段と、前記頂角部より上方に設けた鋸歯状段の全周がバラストに接し、バラストを上方に向かって押し上げることを特徴とする。
【００１０】
請求項３の手段は、前記した請求項１において、レールをまくらぎに固定する底部水平部の相対向する２個所に取付けたことを特徴とする。
【発明の効果】
【００１１】
本発明は前記したように、レールの底部水平部に取付けた状態においてバラスト道床に埋設し、この埋設した状態ではスリット部は現状の広がりを維持し、列車が通過すると弾性部に外圧が加わると前記スリットは狭まり、列車の通過直後には外圧が解除されると弾性部の復元力によりスリットが列車通過前の間隔に復元する力により、鋸歯状段に接するバラストがまくらぎの底面や周辺に突き上げてバラストの突き固めが行われる。
【００１２】
また、前記菱型形状部における最大幅部分（頂角部）下方に位置する下端側の長さが上端側の長さより大きく形成した鋸歯状段および上方に設けた鋸歯状段の全周がバラストに接しており、上方・下方とが相まってバラストを上方に向かって押し上げる構造としたもので、スリットが閉じられた状態から開放状態に移行する時にバラストが鋸歯状段の形状によりまくらぎの底面や周囲が突き固められ、列車の軌道基盤（バラスト部）の安定強化が図れ安全運行に寄与するものである。
【００１３】
さらに、レールをまくらぎに固定するための底部水平部における相対向する２個所にバラスト突き固め器を併設することで、まくらぎの部分に位置するバラストの多くをまくらぎの水面や周囲が突き固められ、よって、突き固めを１つのバラスト突き固め器で行うものより、より列車の軌道基盤の安定強化を図れ、従って、安全運行が確保される等の効果を有するものである。
【図面の簡単な説明】
【００１４】
【図１】本発明に係るバラスト突き固め器の実施例を示す正面図である。
【図２】図１の側面図である。
【図３】図１のＡ−Ａ線断面図である。
【図４】図１のＢ−Ｂ線断面図である。
【図５】レールに本発明の２個のバラスト突き固め器をレールに取付けた状態の斜視図である。
【図６】本発明のバラスト突き固め器をレールに取付けバラスト内に埋設した状態において列車の走行前の状態を示す正面図である
【図７】図６において列車走行時の状態を示す正面図である。
【図８】図７において列車走行後の状態を示す正面図である。
【図９】先行技術文献のバラスト突き固め器を示す正面図である。
【図１０】他の公知のバラスト突き固め器を示す正面図である。
【発明を実施するための形態】
【００１５】
以下、本発明に係るバラスト突き固め器を実施例を図１〜図４と共に説明する。
図１〜図４に示す本発明のバラスト突き固め器２は、厚みが薄く形成された逆Ｕ字状に形成された弾性部２１ａと、該弾性部２１ａから垂下方向に延長された菱型形状部２１ｂとから形成され、かつ、前記弾性部２１ａから全長に渡ってスリット２１ｃが形成されている。なお、バラスト突き固め器２は弾性係数の大きな材料である、例えば、鍛造鋼、鋳鋼、球状黒鉛鋳鉄（ダクタイル鋳鉄）等の強靱で、かつ、弾性に富む材料によって構成されている。
【００１６】
前記弾性部２１ａから菱型形状部２１ｂの外周には幅広の鋸歯状段２２が一体的に形成されている。前記菱型形状部２１ｂにおける頂角部より下方に位置して形成されている鋸歯状段２２は、下端側の長さが上端側の長さより大きく形成されている。すなわち、先端方向に傾斜した形状となっている。
【００１７】
前記鋸歯状段２２は前記弾性部２１ａよりも上方にも延長して一体的に形成された延長鋸歯状段２２ａとなっている。そして、延長鋸歯状段２２ａの上端部にはレールＲをまくらぎに取付けるための底部水平部Ｒ１に取付けるための側面形状でレール取付部２３が一体的に形成されている。なお、レール取付部２３にはネジ孔２３ａが形成されており、レールＲの底部水平部Ｒ１の直下に差し渡しした状態でボルトを締付ることで、バラスト突き固め器２を固定することが可能となっている。
【００１８】
前記スリット２１ｃの間隔はバラストＢの大きさ（通常使用されているバラストＢの大きさは４ｃｍ程度）より小さくする必要がある。すなわち、バラスト突き固め器２が下降する時にスリット２１ｃ内に入り込まないようにするためである。また、バラスト突き固め器２の全長は、バラストＢを敷き詰めた道床の高さより短く形成されている。
【００１９】
前記した構造のバラスト突き固め器２をレールＲの底部水平部Ｒ１に取付ける状態を図５と共に説明する。
レールＲが取付けられたまくらぎＳに近接する底部水平部Ｒ１の相対抗する２箇所にバラスト突き固め器２のレール取付部２３を差し込んだ状態でボルトをネジ孔２３ａに螺合して固定する。なお、図５にあっては、まくらぎＳの一面のみにバラスト突き固め器２を取付けたものを示しているが、まくらぎＳを挟んだ他面側にも一対のバラスト突き固め器２を取付けることが望ましい。
【００２０】
次に、図５のようにまくらぎＳを挟んでバラスト突き固め器２を取付けてバラストＢを突き固めることによってまくらぎＳの周囲が常にバラストＢによって突き固められ、列車の走行がバラストの突き固めの圧密効果で安定した状態で行えることの理由を図６〜図８と共に説明する。
【００２１】
図６はバラスト突き固め器２をレールＲの底部水平部Ｒ１に取付けてバラストＢ内に差し込んだ状態を示し、かつ、列車が通過していない状態を示している。この状態において、弾性部２１ａの弾力性によってスリット２１ｃの幅は一定の間隔を保持した状態となっている。
【００２２】
この状態において、レールＲ上を列車が走行して車輪Ｗが通過すると、列車の重量によってレールＲは下降することとなる。レールＲが下降するのに伴ってバラスト突き固め器２が下降することで、外圧により鋸歯状段２２に加わるバラストＢの外圧によりスリット２１ｃの間隔が狭くなる。
【００２３】
そして、列車の進行により車輪Ｗが通過すると列車の重量が除かれてレールＲは上昇するのでバラスト突き固め器２も上昇する。該バラスト突き固め器２が上昇すると弾性部２１ａに加わっていた外圧がなくなることによりスリット２１ｃの間隔が図６の初期状態に復元する。この復元力によって鋸歯状段２２の周囲に位置するバラストＢがまくらぎＳの底部や周辺に押し上げられる。
【００２４】
従って、まくらぎＳはバラストＢによって突き固められることとなる。そして、このような動作は列車の通過時における車輪Ｗが通過する毎に繰り返し行われ突き固めが持続するので、列車の軌道基盤の安定強化が行われ、安全運行の確保を図ることができる。
【００２５】
また、図５に示したように、レールＲの底部水平部Ｒ１の相対向する２箇所にバラスト突き固め器２のレール取付部２３を差し込んだ状態で、一方のバラスト突き固め器のネジ挿通孔（ボルト挿通側にはボルトが挿通されているのでボルト３の頭部によってボルト挿通孔が隠れて図面には現れていない）からボルト３を挿通し、該ボルト３をレールＲにおける底部水平部Ｒ１の下面側を通して他方のバラスト突き固め器２のネジ挿通孔２３ａを通過させ、該通過したボルト３のネジ部にナット４を螺合することで、２個のバラスト突き固め器はレールＲにおける下方水平部Ｒ１に確実に固定される。
【００２６】
このように、２個のバラスト突き固め器をレールＲの底部水平部Ｒ１に相対向して取付けることで、まくらぎの部分に位置するバラストを２個のバラスト突き固め器によって同時にまくらぎの底面や周囲が突き固められるので、突き固めを１つのバラスト突き固め器で行うものより、より列車の安全運行が確保され軌道基盤の安定強化を図ることができる。
【符号の説明】
【００２７】
Ｂ          バラスト
Ｒ          レール
Ｒ１        底部水平部
Ｓ          まくらぎ
Ｗ          車輪
２          バラスト突き固め器
２１ａ      弾性部
２１ｂ      菱型形状部
２１ｃ      スリット
２２        鋸歯状段
２２ａ      延長鋸歯状段
２３        レール取付部
２３ａ      ネジ孔
３          ボルト
４          ナット
【図１】
2014040741.tif 000003
【図２】
2014040741.tif 000004
【図３】
2014040741.tif 000005
【図４】
2014040741.tif 000006
【図５】
2014040741.tif 000007
【図６】
2014040741.tif 000008
【図７】
2014040741.tif 000009
【図８】
2014040741.tif 000010
【図９】
2014040741.tif 000011
【図１０】
2014040741.tif 000012
【手続補正書】
【提出日】平成25年1月24日(2013.1.24)
【手続補正１】
【補正対象書類名】特許請求の範囲
【補正対象項目名】請求項２
【補正方法】変更
【補正の内容】
【請求項２】
前記菱型形状部の外周に鋸歯状段を形成し、最大幅部分（頂角部）より下方に位置する鋸歯状段は、下端側の長さを上端側の長さより大きく形成し、前記菱型形状部に形成された鋸歯状段の全周がバラストに接し、バラストを上方に向かって押し上げることを特徴とする請求項１記載のバラスト突き固め器。
【手続補正２】
【補正対象書類名】特許請求の範囲
【補正対象項目名】請求項３
【補正方法】変更
【補正の内容】
【請求項３】
レールに形成された底部水平部をまくらぎに固定した状態において、前記底部水平部における前記まくらぎに近接する位置の相対向する２箇所に取付けたことを特徴とする請求項１記載のバラスト突き固め器。
【手続補正３】
【補正対象書類名】明細書
【補正対象項目名】０００９
【補正方法】変更
【補正の内容】
【０００９】
請求項２の手段は、前記した請求項１において、前記菱型形状部の外周に鋸歯状段を形成し、最大幅部分（頂角部）より下方に位置する鋸歯状段は、下端側の長さを上端側の長さより大きく形成し、前記菱型形状部に形成された鋸歯状段の全周がバラストに接し、バラストを上方に向かって押し上げることを特徴とする。
【手続補正４】
【補正対象書類名】明細書
【補正対象項目名】００１０
【補正方法】変更
【補正の内容】
【００１０】
請求項３の手段は、前記した請求項１において、レールに形成された底部水平部をまくらぎに固定した状態において、前記底部水平部における前記まくらぎに近接する位置の相対向する２箇所に取付けたことを特徴とする。
【手続補正５】
【補正対象書類名】明細書
【補正対象項目名】００１６
【補正方法】変更
【補正の内容】
【００１６】
前記弾性部２１ａから菱型形状部２１ｂの外周には幅広の鋸歯状段２２が一体的に形成されている。前記菱型形状部２１ｂにおける最大幅部分（頂角部）より下方に位置して形成されている鋸歯状段２２は、下端側の長さが上端側の長さより大きく形成されている。すなわち、前記上端側が上方に向かって傾斜した形状となっている。
【手続補正６】
【補正対象書類名】明細書
【補正対象項目名】００１９
【補正方法】変更
【補正の内容】
【００１９】
前記した構造のバラスト突き固め器２をレールＲの底部水平部Ｒ１に取付ける状態を図５と共に説明する。
レールＲが取付けられたまくらぎＳに近接する底部水平部Ｒ１の相対向する２箇所にバラスト突き固め器２のレール取付部２３を差し込んだ状態でボルトをネジ孔２３ａに螺合して固定する。なお、図５にあっては、まくらぎＳの一面のみにバラスト突き固め器２を取付けたものを示しているが、まくらぎＳを挟んだ他面側にも一対のバラスト突き固め器２を取付けることが望ましい。
【手続補正７】
【補正対象書類名】明細書
【補正対象項目名】００２０
【補正方法】変更
【補正の内容】
【００２０】
次に、図５のようにまくらぎＳに近接するレールＲの底部水平部Ｒ１の相対向する２箇所にバラスト突き固め器２を取付けてバラストＢを突き固めることによってまくらぎＳの周囲が常にバラストＢによって突き固められ、列車の走行がバラストの突き固めの圧密効果で安定した状態で行えることの理由を図６〜図８と共に説明する。
【手続補正８】
【補正対象書類名】図面
【補正対象項目名】図１
【補正方法】変更
【補正の内容】
【図１】
2014040741.tif 000013
【手続補正９】
【補正対象書類名】図面
【補正対象項目名】図６
【補正方法】変更
【補正の内容】
【図６】
2014040741.tif 000014
【手続補正１０】
【補正対象書類名】図面
【補正対象項目名】図７
【補正方法】変更
【補正の内容】
【図７】
2014040741.tif 000015
【手続補正１１】
【補正対象書類名】図面
【補正対象項目名】図８
【補正方法】変更
【補正の内容】
【図８】
2014040741.tif 000016